(57)【特許請求の範囲】
【請求項１】
無線通信により非接触カードから認証情報が入力される複数の非接触カードリーダと、前記非接触カードリーダに入力された前記認証情報を用いて、出入口の通行の可否を判定する通行可否判定装置と、前記出入口の通行が許可されていると前記通行可否判定装置が判定する場合に、前記出入口に設けられたドア装置を制御するドア装置用制御装置とを備えた通行管理装置であって、
前記非接触カードリーダの保守点検を行う際に用いられ、前記非接触カードリーダの通信可能領域内に位置する場合に前記非接触カードリーダとの間で無線通信を行う携帯型通信装置と、
操作されることにより、複数の前記非接触カードリーダのそれぞれに固有情報発信指令信号を入力する固有情報発信指令信号入力装置と
をさらに備え、
前記非接触カードリーダは、前記保守点検の際に用いられる前記非接触カードリーダについての固有情報を記憶しており、前記固有情報発信指令信号が入力されることにより、前記固有情報を発信し、
前記携帯型通信装置は、無線通信により前記非接触カードリーダから前記固有情報が入力されることを特徴とする通行管理装置。
【請求項２】
前記非接触カードリーダは、前記非接触カードに電力を供給するための電波を発する電波発信装置を有しており、
前記固有情報は、前記電波に含まれていることを特徴とする請求項１に記載の通行管理装置。
【請求項３】
前記携帯型通信装置は、無線通信により前記固有情報発信指令信号を前記非接触カードリーダに入力することを特徴とする請求項１または請求項２に記載の通行管理装置。
【請求項４】
前記固有情報は、前記非接触カードリーダに記憶されているソフトウエアのバージョンを特定するバージョン特定情報を含んでいることを特徴とする請求項１ないし請求項３の何れか１項に記載の通行管理装置。
【請求項５】
無線通信により非接触カードから認証情報が入力される複数の非接触カードリーダに記憶され保守点検の際に用いられる前記非接触カードリーダについての固有情報を確認するカードリーダ確認方法であって、
操作されることにより固有情報発信指令信号入力装置から固有情報発信指令信号がそれぞれの前記非接触カードリーダに入力されることにより、前記固有情報をそれぞれの前記非接触カードリーダが発信する固有情報発信工程と、
前記非接触カードリーダの通信可能領域内に位置する場合に前記非接触カードリーダとの間で無線通信を行う携帯型通信装置が、無線通信により前記非接触カードリーダから前記固有情報が入力される固有情報受信工程と
を備えたことを特徴とするカードリーダ確認方法。
【発明の詳細な説明】
【技術分野】
【０００１】
この発明は、非接触カードから認証情報が入力される非接触カードリーダを備えた通行管理装置および非接触カードリーダに記憶され保守点検の際に用いられる非接触カードリーダについての固有情報を確認するカードリーダ確認方法に関する。
【背景技術】
【０００２】
従来、無線通信により非接触カードから認証情報が入力される非接触カードリーダと、非接触カードリーダに入力された認証情報を用いて、出入口の通行の可否を判定し、判定結果に基づいて、出入口に設けられたドア装置の電気錠を制御するコントローラとを備えたカードリーダ装置が知られている（例えば、特許文献１参照）。
【先行技術文献】
【特許文献】
【０００３】
【特許文献１】特開２０１０−２８１０６３号公報
【発明の概要】
【発明が解決しようとする課題】
【０００４】
しかしながら、非接触カードリーダに記憶されているソフトウエアのバージョンを特定するバージョン特定情報などの、非接触カードリーダに記憶され保守点検の際に用いられる非接触カードリーダについての固有情報は、通常、非接触カードリーダの筐体の内側に記載されている。したがって、非接触カードリーダの保守点検を行う際に、非接触カードリーダについての固有情報を確認するために、非接触カードリーダの筐体を取り外さなければならず、非接触カードリーダについての固有情報を確認する作業の効率が悪いという問題点があった。
【０００５】
この発明は、非接触カードリーダに記憶され保守点検の際に用いられる非接触カードリーダについての固有情報を確認する作業の効率を向上させることができる通行管理装置およびカードリーダ確認方法を提供するものである。
【課題を解決するための手段】
【０００６】
この発明に係る通行管理装置は、無線通信により非接触カードから認証情報が入力される複数の非接触カードリーダと、前記非接触カードリーダに入力された前記認証情報を用いて、出入口の通行の可否を判定する通行可否判定装置と、前記出入口の通行が許可されていると前記通行可否判定装置が判定する場合に、前記出入口に設けられたドア装置を制御するドア装置用制御装置とを備えた通行管理装置であって、前記非接触カードリーダの保守点検を行う際に用いられ、前記非接触カードリーダの通信可能領域内に位置する場合に前記非接触カードリーダとの間で無線通信を行う携帯型通信装置と、操作されることにより、複数の前記非接触カードリーダのそれぞれに固有情報発信指令信号を入力する固有情報発信指令信号入力装置とをさらに備え、前記非接触カードリーダは、前記保守点検の際に用いられる前記非接触カードリーダについての固有情報を記憶しており、固有情報発信指令信号が入力されることにより、前記固有情報を発信し、前記携帯型通信装置は、無線通信により前記非接触カードリーダから前記固有情報が入力される。
【０００７】
この発明に係るカードリーダ確認方法は、無線通信により非接触カードから認証情報が入力される複数の非接触カードリーダに記憶され保守点検の際に用いられる前記非接触カードリーダについての固有情報を確認するカードリーダ確認方法であって、操作されることにより固有情報発信指令信号入力装置から固有情報発信指令信号がそれぞれの前記非接触カードリーダに入力されることにより、前記固有情報をそれぞれの前記非接触カードリーダが発信する固有情報発信工程と、前記非接触カードリーダの通信可能領域内に位置する場合に前記非接触カードリーダとの間で無線通信を行う携帯型通信装置が、無線通信により前記非接触カードリーダから前記固有情報が入力される固有情報受信工程とを備えている。
【発明の効果】
【０００８】
この発明に係る通行管理装置によれば、無線通信により非接触カードから認証情報が入力される非接触カードリーダと、非接触カードリーダに入力された認証情報を用いて、出入口の通行の可否を判定する通行可否判定装置と、出入口の通行が許可されていると通行可否判定装置が判定する場合に、出入口に設けられたドア装置を制御するドア装置用制御装置と、非接触カードリーダの保守点検を行う際に用いられ、非接触カードリーダの通信可能領域内に位置する場合に非接触カードリーダとの間で無線通信を行う携帯型通信装置とを備え、非接触カードリーダは、保守点検の際に用いられる非接触カードリーダについての固有情報を記憶しており、固有情報発信指令信号が入力されることにより、固有情報を発信し、携帯型通信装置は、無線通信により非接触カードリーダから固有情報が入力されるので、携帯型通信装置を用いて非接触カードリーダに記憶され保守点検の際に用いられる非接触カードリーダについての固有情報を確認することができる。これにより、非接触カードリーダの筐体を取り外すことなく、非接触カードリーダに記憶され保守点検の際に用いられる非接触カードリーダについての固有情報を確認することができる。その結果、非接触カードリーダに記憶され保守点検の際に用いられる非接触カードリーダについての固有情報を確認する作業の効率を向上させることができる。
【０００９】
この発明に係るカードリーダ確認方法によれば、固有情報発信指令信号が非接触カードリーダに入力されることにより、非接触カードリーダに記憶され保守点検の際に用いられる非接触カードリーダについての固有情報を非接触カードリーダが発信する固有情報発信工程と、非接触カードリーダの通信可能領域内に位置する場合に非接触カードリーダとの間で無線通信を行う携帯型通信装置が、無線通信により非接触カードリーダから固有情報が入力される固有情報受信工程とを備えているので、携帯型通信装置を用いて非接触カードリーダに記憶され保守点検の際に用いられる非接触カードリーダについての固有情報を確認することができる。これにより、非接触カードリーダの筐体を取り外すことなく、非接触カードリーダに記憶され保守点検の際に用いられる非接触カードリーダについての固有情報を確認することができる。その結果、非接触カードリーダに記憶され保守点検の際に用いられる非接触カードリーダについての固有情報を確認する作業の効率を向上させることができる。
【図面の簡単な説明】
【００１０】
【図１】この発明の実施の形態１に係る通行管理装置を示す構成図である。
【図２】図１の通行管理装置の動作を示すフローチャートである。
【発明を実施するための形態】
【００１１】
実施の形態１．
図１はこの発明の実施の形態１に係る通行管理装置を示す構成図である。図において、通行管理装置は、利用者に所持される非接触カード１と、非接触カード１との間で無線通信を行う非接触カードリーダ２と、ビル内の複数の部屋のそれぞれに形成された出入口（図示せず）のそれぞれに設けられた複数のドア装置３と、各ドア装置３を制御するコントローラ４と、非接触カードリーダ２の保守点検の際に保守点検作業者に用いられる携帯型通信装置５とを備えている。図１では、コントローラ４に対して、１個の非接触カードリーダ２が電気的に接続されている構成を示しているが、この例では、ドア装置３の数に対応した複数の非接触カードリーダ２がコントローラ４に対して電気的に接続されている。
【００１２】
非接触カード１は、電波を送受信する電波送受信装置１１と、認証情報を記憶する記憶装置１２と、電波送受信装置１１を制御する電波送受信制御装置１３とを有している。認証情報としては、非接触カード１を特定する情報または非接触カード１を所持する利用者を特定するＩＤ情報などが挙げられる。
【００１３】
非接触カードリーダ２は、電波を送受信する電波送受信装置（電波発信装置）２１と、非接触カードリーダ２に記憶されているソフトウエアのバージョンを特定するバージョン特定情報（固有情報）を記憶する記憶装置２２と、電波送受信装置２１を制御する電波送受信制御装置２３と、コントローラ４との間で通信を行うＩ／Ｆ２４とを有している。電波送受信装置２１は、電波送受信制御装置２３の制御により、非接触カード１に電力を供給するための電波を定期的に発するようになっている。電波送受信制御装置２３は、バージョン特定情報発信指令信号（固有情報発信指令信号）が電波送受信制御装置２３に入力される場合に、記憶装置２２に記憶されているバージョン特定情報を、非接触カード１に電力を供給するための電波に含めて、電波送受信装置２１に発信させるようになっている。
【００１４】
非接触カードリーダ２に記憶されているソフトウエアとしては、非接触カードリーダ２を構成するハードウエアである、ＲＯＭ（Ｒｅａｄ  Ｏｎｌｙ  Ｍｅｍｏｒｙ）やＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）などに記憶されているプログラムが挙げられる。
【００１５】
ソフトウエアのバージョンを特定するバージョン特定情報としては、例えば、ＲＯＭの場合には、ＲＯＭに記憶されているプログラムのバージョンやＲＯＭの製造番号が挙げられる。また、ソフトウエアのバージョンを特定するバージョン特定情報としては、例えば、ＥＥＰＲＯＭの場合には、ＥＥＰＲＯＭに記憶されているプログラムのバージョンが挙げられる。バージョン特定情報は、非接触カードリーダ２の保守点検を行う際に用いられる。
【００１６】
非接触カード１は、非接触カード１が非接触カードリーダ２の通信可能領域内に位置する場合に、非接触カードリーダ２からの電波を受信する。非接触カードリーダ２は、受信した電波から充電を行い、記憶装置１２に記憶されている認証情報を電波送受信装置１１から発信する。非接触カードリーダ２は、非接触カード１から送られた認証情報を受信し、受信した認証情報をコントローラ４に送信する。
【００１７】
ドア装置３は、出入口を閉じる閉位置と出入口が開く開位置との間で変位するドア本体３１と、ドア本体３１を施錠する施錠位置とドア本体３１が開錠される開錠位置との間で変位する電気錠３２とを有している。電気錠３２は、施錠信号が入力されることにより施錠位置に変位し、開錠信号が入力されることにより開錠位置に変位する。
【００１８】
コントローラ４は、非接触カードリーダ２から送られた非接触カード１の認証情報を用いて出入口の通行の可否を判定する通行可否判定装置４１と、通行可否判定装置４１の判定結果に基づいて、ドア装置３を制御するドア装置用制御装置４２と、保守点検作業者により操作されるスイッチ（バージョン特定情報発信指令信号入力装置）４３と、非接触カードリーダ２との間で通信を行うＩ／Ｆ４４とを有している。
【００１９】
通行可否判定装置４１は、出入口の通行が許可されている認証情報を予め記憶する記憶装置（図示せず）を含んでいる。通行可否判定装置４１は、非接触カードリーダ２から送られた非接触カード１の認証情報と、記憶装置に予め記憶されている認証情報とが一致する場合には、出入口の通行が許可されていると判定する。一方、通行可否判定装置４１は、非接触カードリーダ２から送られた非接触カード１の認証情報と、記憶装置に予め記憶されている認証情報とが一致いない場合には、出入口の通行が許可されていないと判定する。
【００２０】
ドア装置用制御装置４２は、出入口の通行が許可されていると通行可否判定装置４１が判定する場合に、電気錠３２に対して開錠信号を送り、電気錠３２を開錠位置に変位させる。一方、ドア装置用制御装置４２は、出入口の通行が許可されていないと通行可否判定装置４１が判定する場合に、電気錠３２に対して施錠信号を送り、電気錠３２の位置を施錠位置のままとする。また、ドア装置用制御装置４２は、電気錠３２が開錠位置に変位した後、所定の時間が経過する場合に、電気錠３２に対して施錠信号を送り、電気錠３２を開錠位置から施錠位置に変位させる。
【００２１】
スイッチ４３は、操作されることにより、バージョン特定情報発信指令信号を非接触カードリーダ２の電波送受信制御装置２３に入力するようになっている。スイッチ４３は、複数の非接触カードリーダ２のそれぞれにバージョン特定情報発信指令信号を入力する。
【００２２】
携帯型通信装置５は、電波を受信する電波受信装置５１と、電波受信装置５１が受信した情報を表示する表示装置５２とを有している。電波受信装置５１は、非接触カード１に電力を供給するための電波を受信することにより、非接触カードリーダ２から発信された非接触カードリーダ２のバージョン特定情報が入力される。表示装置５２は、電波受信装置５１に入力されたバージョン特定情報を表示する。表示装置５２がバージョン特定情報を表示することにより、保守点検作業者は、非接触カードリーダ２に記録されているソフトウエアのバージョンを確認することができる。携帯型通信装置５は、非接触カードリーダ２と同様の構成をする装置と、この装置との間で通信を行うノート型パソコンとから構成することが可能である。
【００２３】
次に、非接触カードリーダ２に記憶されているソフトウエアのバージョンを確認する場合の通行管理装置の動作について説明する。図２は図１の通行管理装置の動作を示すフローチャートである。図において、まず、非接触カードリーダ２の電波送受信制御装置２３は、スイッチ４３からバージョン特定情報発信指令信号が入力されたか否かを判定する（固有情報発信指令信号入力判定工程）（ステップＳ１０１）。ステップＳ１０１で、スイッチ４３からバージョン特定情報発信指令信号が入力されていないと電波送受信制御装置２３が判定すると、ステップＳ１０１を繰り返し、非接触カードリーダ２は通常動作を行う。
【００２４】
一方、ステップＳ１０１で、スイッチ４３からバージョン特定情報発信指令信号が入力されたと電波送受信制御装置２３が判定すると、非接触カードリーダ２の電波送受信装置２１は、記憶装置２２に記憶されているバージョン特定情報を、非接触カード１に電力を供給するための電波に含めて発信する（固有情報発信工程）（ステップＳ１０２）。
【００２５】
その後、保守点検作業者が携帯型通信装置５を非接触カードリーダ２の通信可能領域内に持ち込むと、携帯型通信装置５の電波受信装置５１は、非接触カードリーダ２が発信するバージョン特定情報が入力される（固有情報受信工程）（ステップＳ１０３）。
【００２６】
その後、携帯型通信装置５は、入力されたバージョン特定情報を表示装置５２に表示させる（固有情報表示工程）（ステップＳ１０４）。これにより、保守点検作業者は、表示装置５２に表示された内容を確認することにより、非接触カードリーダ２に記憶されているソフトウエアのバージョンを確認する。その後、保守点検作業者は、スイッチ４３を操作して、非接触カードリーダ２の電波送受信制御装置２３へのバージョン特定情報発信指令信号の入力を停止する。これにより、非接触カードリーダ２の電波送受信装置２１によるバージョン特定情報の発信が停止される。以上により、非接触カードリーダ２に記憶されているソフトウエアのバージョンを確認作業が終了する。
【００２７】
以上説明したように、この発明の実施の形態１に係る通行管理装置によれば、無線通信により非接触カード１から認証情報が入力される非接触カードリーダ２と、非接触カードリーダ２に入力された認証情報を用いて、出入口の通行の可否を判定する通行可否判定装置４１と、出入口の通行が許可されていると通行可否判定装置４１が判定する場合に、出入口に設けられたドア装置３を制御するドア装置用制御装置４２と、非接触カードリーダ２の保守点検を行う際に用いられ、非接触カードリーダ２の通信可能領域内に位置する場合に非接触カードリーダ２との間で無線通信を行う携帯型通信装置５とを備え、非接触カードリーダ２は、非接触カードリーダ２に記憶されているソフトウエアのバージョンを特定するバージョン特定情報を記憶しており、バージョン特定情報発信指令信号が入力されることにより、バージョン特定情報を発信し、携帯型通信装置５は、無線通信により非接触カードリーダ２からバージョン特定情報が入力されるので、携帯型通信装置５を用いて非接触カードリーダ２に記憶されているソフトウエアのバージョンを確認することができる。これにより、非接触カードリーダ２の筐体を取り外すことなく、非接触カードリーダ２に記憶されているソフトウエアのバージョンを確認することができる。その結果、非接触カードリーダ２に記憶されているソフトウエアのバージョンを確認する作業の効率を向上させることができる。
【００２８】
また、非接触カードリーダ２は、非接触カード１に電力を供給するための電波を発する電波送受信装置２１を有しており、バージョン特定情報は、電波送受信装置２１が発する電力供給用の電波に含まれているので、電波送受信装置２１がバージョン特定情報を発信している場合であっても、非接触カードリーダ２から非接触カード１に電力を供給することができ、非接触カード１から認証情報を非接触カードリーダ２に入力することができる。
【００２９】
また、非接触カードリーダ２は、複数設けられており、通行管理装置は、操作されることにより複数の非接触カードリーダ２のそれぞれにバージョン特定情報発信指令信号を入力するスイッチ４３を備えているので、保守点検作業者がスイッチ４３を操作することにより、複数の非接触カードリーダ２からバージョン特定情報を発信させることができる。
【００３０】
また、非接触カードリーダ２に記憶され保守点検の際に用いられる非接触カードリーダ２についての固有情報は、非接触カードリーダ２に記憶されているソフトウエアのバージョンを特定するバージョン特定情報を含んでいるので、保守点検を行う際に、非接触カードリーダ２に記憶されているソフトウエアのバージョンを容易に確認することができる。
【００３１】
また、この発明の実施の形態１に係るカードリーダ確認方法によれば、バージョン特定情報発信指令信号が非接触カードリーダ２に入力されることにより、ソフトウエアのバージョンを特定するバージョン特定情報を非接触カードリーダ２が発信する固有情報発信工程と、非接触カードリーダ２の通信可能領域内に位置する場合に非接触カードリーダ２との間で無線通信を行う携帯型通信装置５が、無線通信により非接触カードリーダ２からバージョン特定情報が入力される固有情報受信工程とを備えているので、携帯型通信装置５を用いて非接触カードリーダ２に記憶されているソフトウエアのバージョンを確認することができる。これにより、非接触カードリーダ２の筐体を取り外すことなく、非接触カードリーダ２に記憶されているソフトウエアのバージョンを確認することができる。その結果、非接触カードリーダ２に記憶されているソフトウエアのバージョンを確認する作業の効率を向上させることができる。
【００３２】
なお、上記実施の形態１では、ドア本体３１と電気錠３２とを有したドア装置３の構成について説明したが、ドア本体３１とドア本体３１を変位させる変位装置とを有した自動ドアからなるドア装置３であってもよい。
【００３３】
また、上記実施の形態１では、ビル内の部屋に形成された出入口に設けられたドア装置３について説明したが、例えば、駅の改札口に設けられたドア装置３であってもよい。
【００３４】
また、上記実施の形態１では、非接触カード１に電力を供給するための電波にバージョン特定情報が含まれる構成について説明したが、非接触カード１に電力を供給するための電波とは異なる電波にバージョン特定情報が含まれる構成であってもよい。
【００３５】
また、上記実施の形態１では、コントローラ４からバージョン特定情報発信指令信号が非接触カードリーダ２に入力される構成について説明したが、無線通信により携帯型通信装置５からバージョン特定情報発信指令信号が非接触カードリーダ２に入力される構成であってもよい。これにより、保守点検作業者は、コントローラ４を操作することなく、非接触カードリーダ２に記憶されているソフトウエアのバージョンを確認することができる。その結果、非接触カードリーダに記憶されているソフトウエアのバージョンを確認する作業の効率をさらに向上させることができる。
【００３６】
また、上記実施の形態１では、非接触カードリーダに記憶され保守点検の際に用いられる非接触カードリーダについての固有情報として、非接触カードリーダ２に記憶されているソフトウエアのバージョンを特定するバージョン特定情報を例に説明したが、これに限らず、例えば、非接触カードリーダ２の製造番号や動作ログなどであってもよい。この場合、保守点検を行う際に、非接触カードリーダ２の製造番号や動作ログを容易に確認することができる。
【符号の説明】
【００３７】
１  非接触カード、２  非接触カードリーダ、３  ドア装置、４  コントローラ、５  携帯型通信装置、１１  電波送受信装置、１２  記憶装置、１３  電波送受信制御装置、２１  電波送受信装置（電波発信装置）、２２  記憶装置、２３  電波送受信制御装置、２４  Ｉ／Ｆ、３１  ドア本体、３２  電気錠、４１  通行可否判定装置、４２  ドア装置用制御装置、４３  スイッチ（バージョン特定情報発信指令信号入力装置）、４４  Ｉ／Ｆ、５１  電波受信装置、５２  表示装置。
【図１】
0005722751.tif 000002
【図２】
0005722751.tif 000003